(57)【要約】【課題】  メモリ内蔵シートからの出力をユーザ固有の文書として出力可能な情報出力装置、画像処理装置および情報出力方法を提供することを目的とする。【解決手段】  メモリ内蔵シート１００から情報を読み取り、その情報に基づく内容を出力する情報出力装置であって、メモリ内蔵シート１００を走査して画像情報を読み取るスキャナ手段２と、メモリ内蔵シート１００のメモリ１１０からメモリ情報を読み取るリーダ手段４４と、ユーザが選択可能な出力モードを操作画面に表示し、出力モードをユーザに選択させる操作手段６と、選択された出力モードに応じて、画像情報とメモリ情報に基づく内容とを合成して出力する出力手段３とを有することにより上記課題を解決する。【選択図】  図７
2006005544.tif 000002
【特許請求の範囲】
【請求項１】
メモリ内蔵シートから情報を読み取り、前記メモリ内蔵シートから読み取った情報に基づく内容を出力する情報出力装置であって、
前記メモリ内蔵シートを走査して、メモリ内蔵シートから画像情報を読み取るスキャナ手段と、
前記メモリ内蔵シートのメモリからメモリ情報を読み取るリーダ手段と、
ユーザが選択可能な出力モードを操作画面に表示し、前記出力モードをユーザに選択させる操作手段と、
前記選択された出力モードに応じて、前記画像情報とメモリ情報に基づく内容とを合成して出力する出力手段と
を有することを特徴とする情報出力装置。
【請求項２】
前記スキャナ手段が読み取った画像情報から制御コードを認識した場合、前記メモリ情報に応じて前記制御コードの照合を行い、前記制御コードの照合がとれたときに処理を継続させ、前記制御コードの照合がとれなかったときに処理を停止させる制御手段を更に有することを特徴とする請求項１記載の情報出力装置。
【請求項３】
前記制御手段は、前記制御コードの照合がとれなかったときに、前記メモリ内蔵シートから読み取った情報に基づく内容を出力できない旨を操作画面に表示させることを特徴とする請求項２記載の情報出力装置。
【請求項４】
前記出力手段は、これまでに出力した部数を表す出力部数番号が記憶されている前記メモリ情報から前記出力部数番号を読み出し、画像情報とメモリ情報に基づく内容とを画像化した出力の少なくとも一部に、前記出力部数番号に連続する部数番号を合成することを特徴とする請求項１記載の情報出力装置。
【請求項５】
前記出力手段は、前記スキャナ手段が読み取った画像情報を前記メモリ情報に基づく内容に合成し、画像化して出力することを特徴とする請求項１記載の情報出力装置。
【請求項６】
前記出力手段は、背景情報を前記メモリ情報またはメモリ情報に基づく場所から読み出し、前記背景情報を前記画像情報とメモリ情報に基づく内容とに合成し、画像化して出力することを特徴とする請求項１記載の情報出力装置。
【請求項７】
前記操作手段は、前記メモリ情報から読み出した背景情報を操作画面に表示し、前記背景情報をユーザに選択させ、
前記出力手段は、ユーザに選択された背景情報を前記画像情報とメモリ情報に基づく内容とに合成し、画像化して出力することを特徴とする請求項６記載の情報出力装置。
【請求項８】
前記出力手段は、前記画像情報を表紙，前記メモリ情報に基づく内容を本文として出力することを特徴とする請求項１乃至７何れか一項記載の情報出力装置。
【請求項９】
前記出力手段は、前記画像情報とメモリ情報に基づく内容とを、印刷，電子メールまたはファイル転送で出力することを特徴とする請求項１乃至８何れか一項記載の情報出力装置。
【請求項１０】
前記リーダ手段は、前記メモリ内蔵シートのメモリを検出しなかったとき、又は前記メモリ内蔵シートのメモリを複数検出したときに、前記メモリ内蔵シートのメモリからメモリ情報を読み取る処理を停止すると共に、前記メモリ内蔵シートから読み取った画像情報を出力することを特徴とする請求項１乃至９何れか一項記載の情報出力装置。
【請求項１１】
前記リーダ手段は、前記メモリ内蔵シートの無線タグからメモリ情報を読み取ることを特徴とする請求項１乃至１０何れか一項記載の情報出力装置。
【請求項１２】
メモリ内蔵シートから情報を読み取り、前記メモリ内蔵シートから読み取った情報に基づく内容を出力する画像処理装置であって、
前記メモリ内蔵シートを走査して、メモリ内蔵シートから画像情報を読み取るスキャナ手段と、
前記メモリ内蔵シートのメモリからメモリ情報を読み取るリーダ手段と、
ユーザが選択可能な出力モードを操作画面に表示し、前記出力モードをユーザに選択させる操作手段と、
前記選択された出力モードに応じて合成が行われた前記画像情報とメモリ情報に基づく内容とを出力する出力手段と
を有することを特徴とする画像処理装置。
【請求項１３】
メモリ内蔵シートから情報を読み取り、前記メモリ内蔵シートから読み取った情報に基づく内容を出力する情報出力方法であって、
ユーザが選択可能な出力モードを操作画面に表示し、前記出力モードをユーザに選択させる操作段階と、
前記選択された出力モードに応じて、メモリ内蔵シートからスキャナ手段の走査により読み取られた画像情報と、メモリ内蔵シートのメモリからリーダ手段により読み取られたメモリ情報に基づく内容とを合成して出力する出力段階と
を有することを特徴とする情報出力方法。
【請求項１４】
前記スキャナ手段が読み取った画像情報から制御コードを認識した場合、前記メモリ情報に応じて前記制御コードの照合を行い、前記制御コードの照合がとれたときに処理を継続させ、前記制御コードの照合がとれなかったときに処理を停止させる制御段階を更に有することを特徴とする請求項１３記載の情報出力方法。
【請求項１５】
前記制御段階は、前記制御コードの照合がとれなかったときに、前記メモリ内蔵シートから読み取った情報に基づく内容を出力できない旨を操作画面に表示させることを特徴とする請求項１４記載の情報出力方法。
【請求項１６】
前記出力段階は、これまでに出力した部数を表す出力部数番号が記憶されている前記メモリ情報から前記出力部数番号を読み出し、画像情報とメモリ情報に基づく内容とを画像化した出力の少なくとも一部に、前記出力部数番号に連続する部数番号を合成することを特徴とする請求項１３記載の情報出力方法。
【請求項１７】
前記出力段階は、前記スキャナ手段が読み取った画像情報を前記メモリ情報に基づく内容に合成し、画像化して出力することを特徴とする請求項１３記載の情報出力方法。
【請求項１８】
前記出力段階は、背景情報を前記メモリ情報またはメモリ情報に基づく場所から読み出し、前記背景情報を前記画像情報とメモリ情報に基づく内容とに合成し、画像化して出力することを特徴とする請求項１３記載の情報出力方法。
【請求項１９】
前記操作段階は、前記メモリ情報から読み出した背景情報を操作画面に表示し、前記背景情報をユーザに選択させ、
前記出力段階は、ユーザに選択された背景情報を前記画像情報とメモリ情報に基づく内容とに合成し、画像化して出力することを特徴とする請求項１８記載の情報出力方法。
【請求項２０】
前記出力段階は、前記画像情報を表紙，前記メモリ情報に基づく内容を本文として出力することを特徴とする請求項１３乃至１９何れか一項記載の情報出力方法。
【発明の詳細な説明】
【技術分野】
【０００１】
本発明は、情報出力装置、画像処理装置および情報出力方法に係り、特にメモリ内蔵シートから情報を読み取り、その情報に基づく内容を出力する情報出力装置、画像処理装置および情報出力方法に関する。
【背景技術】
【０００２】
近年、固有ＩＤを持つ小さなタグを無線で認識するＲＦＩＤ（Ｒａｄｉｏ  Ｆｒｅｑｕｅｎｃｙ  Ｉｄｅｎｔｉｆｉｃａｔｉｏｎ）と呼ばれる技術が注目されている。この技術を使ったタグは、ＲＦＩＤタグ，無線タグ，ＩＣタグ等と呼ばれる。特許文献１には、ＲＦＩＤタグを原稿に設け、文字や図形等の視認情報を印字し、デジタルデータをＲＦＩＤタグに記録する内容が記載されている。
【特許文献１】特開２００２−３３７４２６号公報
【発明の開示】
【発明が解決しようとする課題】
【０００３】
例えばユーザは、ＲＦＩＤタグを設けた原稿から出力を得る際に、その出力をユーザ固有の文書として管理したい場合がある。しかしながら、ＲＦＩＤタグを設けた原稿から得られた情報をそのまま出力するだけでは、誰が出力しても同じになる為、ユーザ固有の文書とならない。
【０００４】
また、ＲＦＩＤタグを設けた原稿から得られた情報にユーザ名を入れてユーザ固有の文書とする為には、機器に予め設定されているユーザ名に限定され、又は複雑な手順による設定が必要であるという問題があった。
【０００５】
本発明は、上記の点に鑑みなされたもので、メモリ内蔵シートからの出力をユーザ固有の文書として出力可能な情報出力装置、画像処理装置および情報出力方法を提供することを目的とする。
【課題を解決するための手段】
【０００６】
上記課題を解決するため、本発明は、メモリ内蔵シートから情報を読み取り、前記メモリ内蔵シートから読み取った情報に基づく内容を出力する情報出力装置であって、前記メモリ内蔵シートを走査して、メモリ内蔵シートから画像情報を読み取るスキャナ手段と、前記メモリ内蔵シートのメモリからメモリ情報を読み取るリーダ手段と、ユーザが選択可能な出力モードを操作画面に表示し、前記出力モードをユーザに選択させる操作手段と、前記選択された出力モードに応じて、前記画像情報とメモリ情報に基づく内容とを合成して出力する出力手段とを有することを特徴とする。なお、本発明は、画像処理装置および情報出力方法としてもよい。
【０００７】
本発明では、ユーザに出力モードを選択させ、ユーザにより選択された出力モードに応じて画像情報とメモリ情報に基づく内容とを合成したあと、ユーザ固有の文書として出力することができる。
【発明の効果】
【０００８】
本発明によれば、メモリ内蔵シートからの出力をユーザ固有の文書として出力可能な情報出力装置、画像処理装置および情報出力方法を提供可能である。
【発明を実施するための最良の形態】
【０００９】
次に、本発明を実施するための最良の形態を、以下の実施例に基づき図面を参照しつつ説明していく。図１は、本発明による画像処理装置の一実施例のハードウェア構成図である。なお、画像処理装置は情報出力装置の一例である。
【００１０】
画像処理装置は、コントローラ１，スキャナ２，プロッタ３，原稿給紙装置４，後処理装置５，操作部６，個人認証装置７を含むように構成される。コントローラ１は、スキャナ２，プロッタ３，操作部６及び個人認証装置７と接続されており、スキャナ２，プロッタ３，操作部６及び個人認証装置７を制御している。スキャナ２は原稿給紙装置４と接続されており、原稿給紙装置４を制御している。また、プロッタ３は後処理装置５と接続されており、後処理装置５を制御している。なお、スキャナ２にはＲＦＩＤリーダ／ライタが含まれる。
【００１１】
図２は、本発明による画像処理装置の一実施例のソフトウェア構成図である。画像処理装置は、コントローラ１，エンジンＩ／Ｆ４０，プロッタエンジン４１，スキャナエンジン４２，ＲＦＩＤ  Ｉ／Ｆ４３，ＲＦＩＤリーダ／ライタ４４，操作部Ｉ／Ｆ４５，操作部４６，認証装置Ｉ／Ｆ４７，認証装置４８を含むように構成される。
【００１２】
コントローラ１は、ＲＦＩＤアプリ１０，コピーアプリ１１，スキャナアプリ１２，ＦＡＸアプリ１３，プリンタアプリ１４，蓄積データアプリ１５，Ｗｅｂアプリ１６，ネットワークアプリ１７，エンジンジョブ制御部２１，ファイル制御部２２，データ転送制御部２３，通信制御部２４，認証制御部２５，ユーザデータ制御部２６，システム制御部２７，操作制御部２８，メモリリソース管理部３０，エンジンリソース管理部３１，ＵＮＩＸ（登録商標）などのＯＳ（オペレーティングシステム）３２，デバイスドライバ３３を起動する。なお、コントローラ１はネットワーク８からダウンロードされたダウンロードアプリ１８を起動することもできる。
【００１３】
コントローラ１は、エンジンＩ／Ｆ４０を介してプロッタエンジン４１及びスキャナエンジン４２を制御する。コントローラ１は、操作部Ｉ／Ｆ４５を介して操作部４６を制御する。また、コントローラ１は認証装置Ｉ／Ｆ４７を介して認証装置４８を制御する。なお、コントローラ１は新規デバイスＩ／Ｆ４９を介して新規デバイス５０を制御することもできる。スキャナエンジン４２は、ＲＦＩＤ  Ｉ／Ｆ４３を介してＲＦＩＤリーダ／ライタ４４を制御する。
【００１４】
コントローラ１は、スキャナエンジン４２及びＲＦＩＤリーダ／ライタ４４を直接または間接的に制御することで、ＲＦＩＤタグを付けた原稿（以下、単に原稿という）から画像情報を読み取ると共に、ＲＦＩＤタグからメモリ情報を読み取る。原稿は、メモリ内蔵シートの一例である。また、ＲＦＩＤタグはメモリ内蔵シートのメモリの一例である。
【００１５】
図３は、スキャナ、ＲＦＩＤリーダ／ライタ及び原稿の関係を表した図である。スキャナ２は、ＲＦＩＤリーダ／ライタ４４を制御して、原稿１００のＲＦＩＤタグ１１０からメモリ情報を読み取る一方、ＲＦＩＤタグ１１０にメモリ情報を書き込む。ＲＦＩＤタグ１１０のメモリ情報は、固有ＩＤ，メーカーＩＤ，情報バージョン，内容タイトル，アプリケーション，利用者情報，目次情報，目次ページ情報，目次サイズ情報，ＵＲＬ，画像データ等で構成される。
【００１６】
図４は、原稿給紙装置にセットされた原稿から画像情報およびメモリ情報を読み取る画像処理装置の一例の模式図である。図５は、原稿給紙装置にセットされた原稿から画像情報およびメモリ情報を読み取って出力する処理の一例のシーケンス図である。なお、図４の（１）〜（７）は原稿１００が経路を移動する順序を表している。
【００１７】
ステップＳ１に進み、ユーザは原稿１００を原稿給紙装置４にセットする。ステップＳ２に進み、ユーザは操作部６を操作して原稿１００のＲＦＩＤタグ１１０からメモリ情報を読み取るＲＦＩＤモードに設定する。ステップＳ３に進み、ユーザは操作部６のスタートキーを押下する。
【００１８】
ステップＳ４に進み、操作部６はコントローラ１に処理開始を指示する。ステップＳ５に進み、コントローラ１は２面読み取りモードの原稿給紙スタートをスキャナ２に指示する。ステップＳ６に進み、スキャナ２は２面読み取りモードの原稿給紙スタートを原稿給紙装置４に指示する。原稿給紙装置４は、スキャナ２から原稿給紙スタートを指示されると、原稿給紙処理を開始する。ステップＳ７に進み、コントローラ１はスキャナ２にスキャンスタートを指示する。
【００１９】
原稿給紙装置４は、図４（１）に表した原稿１００が、スキャン動作を行う画像位置に到達すると、ステップＳ８に進み、その旨をスキャナ２に通知する。スキャナ２はステップＳ９に進み、スキャン動作を開始すると共に、画像位置に到達した旨をコントローラ１に通知する。
【００２０】
ステップＳ１０に進み、コントローラ１はスキャナ２に画像転送ＯＫを通知する。ステップＳ１１に進み、スキャナ２は移動する原稿１００からスキャンした画像情報のコントローラ１に対する転送を開始する。コントローラ１は、スキャナ２から転送された画像情報をフレームメモリに展開する。
【００２１】
なお、キャリッジ１３０にはＲＦＩＤリーダ／ライタ４４が装着されている。ＲＦＩＤリーダ／ライタ４４は、移動する原稿１００のＲＦＩＤタグ１１０の位置を検出する。ＲＦＩＤタグ１１０の位置を検出すると、ＲＦＩＤリーダ／ライタ４４はＲＦＩＤタグ１１０の位置をスキャナ２に通知する。
【００２２】
ステップＳ１２に進み、スキャナ２はＲＦＩＤタグ１１０の位置をコントローラ１に通知する。また、スキャナ２は原稿１００に対するスキャン動作が終了すると、ステップＳ１３に進み、原稿１００からスキャンした画像情報のコントローラ１に対する転送を終了する。コントローラ１は、フレームメモリに展開された画像情報から地紋等の制御コードを検出する。
【００２３】
原稿１００が図４（３）の位置に到達するとステップＳ１４に進み、原稿給紙装置４は２面給紙準備ＯＫをスキャナ２に通知する。ステップＳ１５に進み、スキャナ２は２面給紙準備ＯＫをコントローラ１に通知する。
【００２４】
ステップＳ１６に進み、コントローラ１は２面目給紙処理を開始する２面給紙スタートをスキャナ２に指示する。ステップＳ１７に進み、スキャナ２は２面給紙スタートを原稿給紙装置４に指示する。原稿給紙装置４は、スキャナ２から２面給紙スタートを指示されると、２面目給紙処理を開始する。原稿給紙装置４は図４（４）の位置から図４（５）の位置を経由して画像位置に到達すると、ステップＳ１８に進み、その旨をスキャナ２に通知する。ステップＳ１９に進み、スキャナ２は画像位置に到達した旨をコントローラ１に通知する。
【００２５】
ステップＳ２０に進み、コントローラ１は原稿１００のＲＦＩＤタグ１１０がＲＦＩＤリーダ／ライタ４４に近接するタイミングでスキャナ２に原稿搬送停止を指示する。ステップＳ２１に進み、スキャナ２は原稿給紙装置４に原稿搬送停止を指示する。原稿給紙装置４は、原稿１００のＲＦＩＤタグ１１０がＲＦＩＤリーダ／ライタ４４に近接するタイミングで原稿１００の搬送を停止する。
【００２６】
ステップＳ２２に進み、原稿給紙装置４は原稿１００の停止ＯＫをスキャナ２に通知する。ステップＳ２３に進み、スキャナ２は原稿１００の停止ＯＫをコントローラ１に通知する。ステップＳ２４に進み、コントローラ１はスキャナ２に対してＲＦＩＤタグ１１０に対するリード命令を通知する。スキャナ２は、ＲＦＩＤリーダ／ライタ４４を制御してＲＦＩＤタグ１１０からメモリ情報を読み取る。ステップＳ２５に進み、スキャナ２はＲＦＩＤタグ１１０から読み取ったメモリ情報をコントローラ１に転送する。
【００２７】
なお、ステップＳ１３において、フレームメモリに展開された画像情報から地紋等の制御コードを検出していた場合、コントローラ１はＲＦＩＤタグ１１０から読み取ったメモリ情報に応じて制御コードの照合を行い、制御コードの照合がとれたときにステップＳ２６に進み、制御コードの照合がとれなかったときに処理を停止する。
【００２８】
ステップＳ２６に進み、コントローラ１はＲＦＩＤタグ１１０から読み取ったメモリ情報に基づき、後述する実施例のような画面を操作部６に表示させる。操作部６に表示された画面には、出力モードを選択する仕組みが設けられている。また、操作部６に表示された画面には、原稿１００から読み取った画像情報，ＲＦＩＤタグ１１０から読み取ったメモリ情報に基づく内容が表示される。なお、メモリ情報に基づく内容には、そのメモリ情報により指定された場所にある画像データ等も含まれる。
【００２９】
ステップＳ２７に進み、ユーザは操作部６を操作して、原稿１００から読み取った画像情報，ＲＦＩＤタグ１１０から読み取ったメモリ情報に基づく内容をユーザ固有の文書として出力する後述のような出力モードを選択する。ステップＳ２８に進み、ユーザは操作部６のスタートキーを再度押下する。ステップＳ２９に進み、操作部６はユーザに選択された出力モードをコントローラ１に通知する。コントローラ１は、ユーザに選択された出力モードに基づき、原稿１００から読み取った画像情報，ＲＦＩＤタグ１１０から読み取ったメモリ情報に基づく内容を合成してフレームメモリに展開する。
【００３０】
ステップＳ３０に進み、コントローラ１はプロッタ３にプリント（印刷）スタートを指示する。プロッタ３は、コントローラ１からプリントスタートを指示されると、フレームメモリに展開された情報に対する印刷処理を開始する。なお、ステップＳ３０ではコントローラ１がメール転送スタートを指示することで、フレームメモリに展開された情報に対するメール転送処理を開始することもできる。
【００３１】
ステップＳ３１に進み、コントローラ１はＲＦＩＤタグ１１０に対するライト命令をスキャナ２に通知する。スキャナ２は、ＲＦＩＤリーダ／ライタ４４を制御してＲＦＩＤタグ１１０にライト命令に応じたメモリ情報を書き込む。ステップＳ３２に進み、スキャナ２はコントローラ１に対してライト終了を通知する。
【００３２】
メール転送処理が終了すると、ステップＳ３３に進み、コントローラ１はメール転送終了が通知される。また、印刷処理が終了すると、プロッタ３はステップＳ３４に進み、コントローラ１に対してプリント終了を通知する。ステップＳ３５に進み、コントローラ１はプリント終了を操作部６に通知する。操作部６には、例えばプリント終了を表す画面が表示される。ステップＳ３６に進み、ユーザはプロッタ３からの印刷出力を取得することができる。
【００３３】
ステップＳ３７に進み、コントローラ１は原稿排紙をスキャナ２に指示する。ステップＳ３８に進み、スキャナ２は原稿排紙を原稿給紙装置４に指示する。原稿給紙装置４はスキャナ２から原稿排紙を指示されると、原稿排紙処理を開始する。原稿給紙装置４は、原稿１００が図４（７）の位置に到達するとステップＳ３９に進み、原稿排紙終了をスキャナ２に通知する。ステップＳ４０に進み、スキャナ２は原稿排紙終了をコントローラ１に通知する。
【００３４】
したがって、ユーザに出力モードを選択させ、原稿１００から読み取った画像情報，ＲＦＩＤタグ１１０から読み取ったメモリ情報に基づく内容を出力モードに応じて合成したあと、ユーザ固有の文書として出力することができる。
【００３５】
図６は、ＲＦＩＤリーダ／ライタの装着位置を表した模式図である。図６は、画像処理装置のコンタクトガラス面を上方向から見た様子を表す。キャリッジ１３０には、矢印１４３の原稿幅方向の中央付近に、ＲＦＩＤリーダ／ライタ４４が装着されている。ＲＦＩＤリーダ／ライタ４４は、矢印１４３の原稿幅分をカバーできる必要最低限の電波強度とする。例えばＲＦＩＤリーダ／ライタ４４は、範囲１４２に含まれるＲＦＩＤタグ１１０を検出可能な必要最低限の電波強度でよい。
【００３６】
ＲＦＩＤリーダ／ライタ４４は、スキャン動作により原稿１００が図４（２）の位置を移動するとき、原稿１００のＲＦＩＤタグ１１０の位置を検出する。ＲＦＩＤリーダ／ライタ４４は、メモリリード動作によりキャリッジ１３０が矢印１４０の方向に移動するとき、ＲＦＩＤタグ１１０が近接する位置に停止して、ＲＦＩＤタグ１１０からメモリ情報を読み取る。したがって、ＲＦＩＤリーダ／ライタ４４は電波強度を弱くしても、ＲＦＩＤタグ１１０からメモリ情報を正確かつ効率良く読み取ることができる。
【００３７】
以下、出力モードをユーザに選択させて、原稿１００から読み取った画像情報，ＲＦＩＤタグ１１０から読み取ったメモリ情報に基づく内容をユーザ固有の文書として出力する処理について順次説明していく。
【実施例１】
【００３８】
図７は、原稿から読み取った画像情報，ＲＦＩＤタグから読み取ったメモリ情報に基づく内容を、選択された出力モードに応じて合成して出力する画像処理装置の一実施例の模式図である。
【００３９】
スキャナ２は原稿１００から画像情報をスキャンし、その画像情報をコントローラ１に転送する。コントローラ１のＣＰＵは、スキャナ２から転送された画像情報をフレームメモリ１５２経由でＨＤＤ１５１に格納する。
【００４０】
ＲＦＩＤリーダ／ライタ４４は、原稿１００のＲＦＩＤタグ１１０からメモリ情報を読み出し、そのメモリ情報をコントローラ１に転送する。コントローラ１のＣＰＵは、ＲＦＩＤリーダ／ライタ４４から転送されたメモリ情報をＲＡＭ１５０経由でＨＤＤ１５１に格納する。なお、ＲＦＩＤタグ１１０から読み取ったメモリ情報に基づく内容は画像化が可能である。例えばメモリ情報は、ＲＦＩＤタグ１１０、コントローラ１のＲＡＭ１５０やＨＤＤ１５１に格納されている画像データ、又はＵＲＬで指定される画像データを指定している。
【００４１】
コントローラ１のＣＰＵは、ＨＤＤ１５１に格納された画像情報，メモリ情報および画像データ等に基づき、図８の出力モード選択画面１０００を操作部６のＬＣＤ（液晶ディスプレイ）に表示させる。図８は、出力モード選択画面の一例のイメージ図である。出力モード選択画面１０００は、出力モードを選択する欄１００１と、出力対象のページを指定する欄１００２とを含むように構成される。欄１００２には、画像情報のページ，メモリ情報に基づく内容のページが表示されており、出力対象のページを指定できる。
【００４２】
ユーザは、操作部６のタッチパネル等を操作して、出力モードを選択すると共に、出力対象のページを指定する。図８の出力モード選択画面１０００は、出力モードとして表示モードが選択されている例である。ユーザがスタートキーを再度押下すると、操作部６は選択された出力モードと指定された出力対象のページとをコントローラ１に通知する。
【００４３】
コントローラ１のＣＰＵは、選択された出力モードに基づき、ＨＤＤ１５１に格納された画像情報およびメモリ情報を利用して、出力対象として指定された画像情報のページとメモリ情報に基づく内容のページとをフレームメモリ１５２に展開する。なお、ＵＲＬで指定されている画像データは、ネットワーク８を介して接続されているサーバー／Ｗｅｂ１５４から取得され、ＨＤＤ１５１に格納されたあと、フレームメモリ１５２に展開される。
【００４４】
コントローラ１のＣＰＵはフレームメモリ１５２に展開されている画像情報のページとメモリ情報に基づく内容のページとを画像合成回路１５３に転送する。画像合成回路１５３は、選択された出力モードに応じて画像合成処理を行い、指定された出力対象のページをプロッタ３に転送する。プロッタ３は、出力対象のページを印刷又は転送する出力処理を行って処理を終了する。
【００４５】
図９および図１０は、原稿から読み取った画像情報，ＲＦＩＤタグから読み取ったメモリ情報に基づく内容を、選択された出力モードに応じて合成して出力する処理の一例のフローチャートである。
【００４６】
ステップＳ１００に進み、コントローラ１はスタートキーが押下されたか否かを判定する。スタートキーが押下されなければ（Ｓ１００においてＮＯ）、コントローラ１はステップＳ１００の処理を繰り返す。
【００４７】
一方、スタートキーが押下されれば（Ｓ１００においてＹＥＳ）、コントローラ１は原稿１００から画像情報を読み取るステップＳ１０１の処理と原稿１００のＲＦＩＤタグ１１０の位置を検出するステップＳ１０２の処理とを並行して行う。
【００４８】
ステップＳ１０３に進み、コントローラ１は原稿１００に対するスキャン動作が終了したか否かを判定する。原稿１００に対するスキャン動作が終了していなければ（Ｓ１０３においてＮＯ）、コントローラ１はステップＳ１０１，Ｓ１０２の処理を繰り返し行う。原稿１００に対するスキャン動作が終了すれば（Ｓ１０３においてＹＥＳ）、コントローラ１はステップＳ１０４に進み、原稿１００から読み取った画像情報から地紋等の制御コードを検出する検出処理を行う。
【００４９】
ステップＳ１０５に進み、コントローラ１は画像情報から制御コードを検出したか否かを判定する。制御コードを検出していれば（Ｓ１０５においてＹＥＳ）、コントローラ１はステップＳ１０６に進み、ＲＦＩＤタグ１１０からメモリ情報を読み取るＲＦＩＤモードが設定されているか否かを判定する。
【００５０】
ＲＦＩＤモードが設定されていなければ（Ｓ１０６においてＮＯ）、コントローラ１はステップＳ１１４に進み、出力不可を表す図１１のような画面１１００を操作部６に表示して処理を終了する。図１１は、出力不可を表す画面のイメージ図である。一方、ＲＦＩＤモードが設定されていれば（Ｓ１０６においてＹＥＳ）、コントローラ１はステップＳ１０７に進み、原稿１００のＲＦＩＤタグ１１０の位置を検出できたか否かを判定する。
【００５１】
ＲＦＩＤタグ１１０の位置を検出できなければ（Ｓ１０７においてＮＯ）、コントローラ１はステップＳ１１４に進み、前述した画面１１００を操作部６に表示して処理を終了する。一方、ＲＦＩＤタグ１１０の位置を検出できれば（Ｓ１０７においてＹＥＳ）、コントローラ１はステップＳ１０８に進み、ユーザの認証と合致するＲＦＩＤタグ１１０を選択するＲＦＩＤ認証処理を行う。ステップＳ１０９に進み、コントローラ１は位置を検出できたＲＦＩＤタグ１１０の個数が１個であるか否かを判定する。
【００５２】
コントローラ１は位置を検出できたＲＦＩＤタグ１１０の個数が１個でなければ（Ｓ１０９においてＮＯ）、ステップＳ１１４に進み、前述した画面１１００を操作部６に表示して処理を終了する。一方、コントローラ１は位置を検出できたＲＦＩＤタグ１１０の個数が１個であれば（Ｓ１０９においてＹＥＳ）、ステップＳ１１０に進み、キャリッジ１３０を矢印１４０の方向に移動させ、ＲＦＩＤリーダ／ライタ４４がＲＦＩＤタグ１１０と近接する位置でキャリッジ１３０を停止させる。
【００５３】
ステップＳ１１１に進み、コントローラ１はＲＦＩＤタグ１１０からメモリ情報を読み取らせて、そのメモリ情報を転送させる。ステップＳ１１２に進み、コントローラ１は原稿１００から読み取った画像情報から制御コードを検出する。そして、ステップＳ１１３に進み、コントローラ１はＲＦＩＤタグ１１０から読み取ったメモリ情報に応じて、画像情報から検出した制御コードの照合を行う。
【００５４】
制御コードの照合がとれなければ（Ｓ１１３においてＮＯ）、コントローラ１はステップＳ１１４に進み、前述した画面１１００を操作部６に表示して処理を終了する。一方、制御コードの照合がとれれば（Ｓ１１３においてＹＥＳ）、ステップＳ１２８に進む。
【００５５】
一方、制御コードを検出しなければ（Ｓ１０５においてＮＯ）、コントローラ１はステップＳ１１５に進み、ＲＦＩＤタグ１１０からメモリ情報を読み取るＲＦＩＤモードが設定されているか否かを判定する。ＲＦＩＤモードが設定されていなければ（Ｓ１１５においてＮＯ）、コントローラ１はステップＳ１２６に進み、原稿１００を排出する。ステップＳ１２７に進み、コントローラ１は原稿１００から読み取った画像情報を印刷又は転送する通常の出力処理を行って処理を終了する。
【００５６】
一方、ＲＦＩＤモードが設定されていれば（Ｓ１１５においてＹＥＳ）、コントローラ１はステップＳ１１６に進み、原稿１００のＲＦＩＤタグ１１０の位置を検出できたか否かを判定する。
【００５７】
ＲＦＩＤタグ１１０の位置を検出できなければ（Ｓ１１６においてＮＯ）、コントローラ１はステップＳ１２２に進み、ＲＦＩＤタグ１１０が無い旨を表すと共に、原稿１００から読み取った画像情報に対する処理を選択させる画面を操作部６に表示させる。ステップＳ１２３に進み、コントローラ１は画像情報に対する処理として「取り消し」が選択されたか否かを判定する。
【００５８】
「取り消し」が選択されれば（Ｓ１２３においてＹＥＳ）、コントローラ１はステップＳ１２５に進み、原稿１００を排出し、原稿１００から読み取った画像情報を出力することなく処理を終了する。「取り消し」が選択されなければ（Ｓ１２３においてＮＯ）、コントローラ１はステップＳ１２４に進み、「原稿のみ出力」が選択されたか否かを判定する。
【００５９】
「原稿のみ出力」が選択されなければ（Ｓ１２４においてＮＯ）、コントローラ１はステップＳ１２３の処理に戻る。即ち、コントローラ１は「取り消し」又は「原稿のみ出力」のどちらか一方が選択されるまでステップＳ１２３，Ｓ１２４の処理を繰り返す。「原稿のみ出力」が選択されれば（Ｓ１２４においてＹＥＳ）、コントローラ１はステップＳ１２６に進み、原稿１００を排出する。ステップＳ１２７に進み、コントローラ１は原稿１００から読み取った画像情報を印刷又は転送する通常の出力処理を行って処理を終了する。
【００６０】
ＲＦＩＤタグ１１０の位置を検出できれば（Ｓ１１６においてＹＥＳ）、コントローラ１はステップＳ１１７に進み、ユーザの認証と合致するＲＦＩＤタグ１１０を選択するＲＦＩＤ認証処理を行う。ステップＳ１１８に進み、コントローラ１は位置を検出できたＲＦＩＤタグ１１０の個数が１個であるか否かを判定する。
【００６１】
コントローラ１は位置を検出できたＲＦＩＤタグ１１０の個数が１個でなければ（Ｓ１１８においてＮＯ）、ステップＳ１２１に進み、ＲＦＩＤタグ１１０が複数個有る旨を表すと共に、原稿１００から読み取った画像情報に対する処理を選択させる画面を操作部６に表示させたあと、前述したステップＳ１２３に進む。
【００６２】
コントローラ１は位置を検出できたＲＦＩＤタグ１１０の個数が１個であれば（Ｓ１１８においてＹＥＳ）、ステップＳ１１９に進み、キャリッジ１３０を矢印１４０の方向に移動させ、ＲＦＩＤリーダ／ライタ４４がＲＦＩＤタグ１１０と近接する位置でキャリッジ１３０を停止させる。ステップＳ１２０に進み、コントローラ１はＲＦＩＤタグ１１０からメモリ情報を読み取らせて、そのメモリ情報を転送させたあと、ステップＳ１２８に進む。
【００６３】
ステップＳ１２８に進み、コントローラ１はＲＦＩＤタグ１１０から読み取ったメモリ情報に基づく内容のページがＵＲＬで表されているか否かを判定する。メモリ情報に基づく内容のページがＵＲＬで表されていれば（Ｓ１２８においてＹＥＳ）、コントローラ１はステップＳ１２９に進み、出力対象のページをユーザにＵＲＬで指定させる出力対象選択画面を操作部６に表示させる。出力対象選択画面は、メモリ情報に基づく内容のページがＵＲＬで表示されている。
【００６４】
ステップＳ１３０に進み、コントローラ１はユーザが操作部６のタッチパネル等を操作して、前述した出力対象選択画面のＵＲＬを選択したか否かを判定する。ＵＲＬが選択されなければ（Ｓ１３０においてＮＯ）、コントローラ１はステップＳ１３０の処理を繰り返す。ＵＲＬが選択されれば（Ｓ１３０においてＹＥＳ）、コントローラ１はステップＳ１３１に進み、出力対象選択画面の確定キーが押下されたか否かを判定する。
【００６５】
確定キーが押下されなければ（Ｓ１３１においてＮＯ）、コントローラ１はステップＳ１３１の処理を繰り返す。一方、確定キーが押下されれば（Ｓ１３１においてＹＥＳ）、コントローラ１はステップＳ１３２に進み、ネットワーク８経由でサーバー／Ｗｅｂ１５４から、ＵＲＬで指定されている画像データをダウンロードし、フレームメモリ１５２に展開する。
【００６６】
ステップＳ１３３に進み、コントローラ１はＵＲＬで指定されている画像データのダウンロードが終了したか否かを判定する。ダウンロードが終了していなければ（Ｓ１３３においてＮＯ）、コントローラ１はステップＳ１３３の処理を繰り返す。ダウンロードが終了すれば（Ｓ１３３においてＹＥＳ）、コントローラ１はステップＳ１３４に進み、途中終了であるか否かを判定する。
【００６７】
途中終了であると判定すれば（Ｓ１３４においてＹＥＳ）、コントローラ１はステップＳ１３５に進み、ＵＲＬで指定されている画像データのダウンロードが異常終了した旨を表す画面を操作部６に表示したあと、前述したステップＳ１２３に進む。なお、画像データのダウンロードが異常終了した旨を表す画面には、原稿１００から読み取った画像情報に対する処理を選択させる仕組みが設けられている。
【００６８】
途中終了でないと判定すれば（Ｓ１３４においてＮＯ）、コントローラ１はステップＳ１３６に進み、原稿１００から読み取った画像情報，ＵＲＬで指定されている画像データに応じて前述した画面１０００を操作部６に表示させる。一方、メモリ情報に基づく内容のページがＵＲＬで表されていなければ（Ｓ１２８においてＮＯ）、コントローラ１はステップＳ１３７に進み、原稿１００から読み取った画像情報，ＲＦＩＤタグ１１０から読み取ったメモリ情報に基づく内容に応じて前述した画面１０００を操作部６に表示させる。
【００６９】
ステップＳ１３６又はＳ１３７に続いてステップＳ１３８に進み、コントローラ１は出力モード選択画面１０００の欄１００１から出力モード「表示モード」が選択されたか否かを判定する。
【００７０】
出力モード「表示モード」が選択されれば（Ｓ１３８においてＹＥＳ）、コントローラ１はステップＳ１３９に進み、スタートキーが再度押下されたか否かを判定する。スタートキーが再度押下されなければ（Ｓ１３９においてＮＯ）、コントローラ１はステップＳ１３９の処理を繰り返す。スタートキーが再度押下されれば（Ｓ１３９においてＹＥＳ）、コントローラ１はステップＳ１４０に進み、原稿１００を排出する。
【００７１】
ステップＳ１４１に進み、コントローラ１は欄１００２で原稿１００から読み取った画像情報のページが出力対象のページとして指定されていると、原稿１００から読み取った画像情報のページをフレームメモリ１５２に展開する。ステップＳ１４２に進み、コントローラ１は欄１００２でメモリ情報に基づく内容のページが出力対象のページとして指定されていると、メモリ情報に基づく内容のページをフレームメモリ１５２に展開する。
【００７２】
ステップＳ１４３に進み、コントローラ１はフレームメモリ１５２に展開されている画像情報のページとメモリ情報に基づく内容のページとを画像合成回路１５３経由でプロッタ３に転送する。プロッタ３は、画像合成回路１５３経由で転送された画像情報のページとメモリ情報に基づく内容のページとを印刷又は転送する出力処理を行って処理を終了する。
【００７３】
図１２は、原稿１００から読み取った画像情報のページ、ＲＦＩＤタグ１１０から読み取ったメモリ情報に基づく内容のページと、表紙モード時の出力結果との関係を表した一例のイメージ図である。
【００７４】
図１２（ａ）は、原稿１００の表面に印刷された画像のページ１２０１と、ＲＦＩＤタグ１１０から読み取ったメモリ情報に基づく内容のページ１２０２，１２０３とを表している。図１２（ｂ）は、ページ１２０１〜１２０３が出力対象のページとして指定された場合の出力結果１２０４〜１２０６を表している。
【００７５】
一方、出力モード「表示モード」が選択されなければ（Ｓ１３８においてＮＯ）、コントローラ１はステップＳ１４４に進み、出力モード選択画面１０００の欄１００１から出力モード「ナンバリングモード」が選択されたか否かを判定する。出力モード「ナンバリングモード」が選択されれば（Ｓ１４４においてＹＥＳ）、コントローラ１はステップＳ１４５に進み、スタートキーが再度押下されたか否かを判定する。
【００７６】
スタートキーが再度押下されなければ（Ｓ１４５においてＮＯ）、コントローラ１はステップＳ１４５の処理を繰り返す。スタートキーが再度押下されれば（Ｓ１４５においてＹＥＳ）、コントローラ１はステップＳ１４６に進み、これまでに出力した部数を表す出力部数番号Ｍをメモリ情報から読み出す。ステップＳ１４７に進み、コントローラ１はこれから出力する部数を部数番号Ｎに代入し、ｉに１を代入する。
【００７７】
ステップＳ１４８に進み、コントローラ１は欄１００２で原稿１００から読み取った画像情報のページが出力対象のページとして指定されていると、原稿１００から読み取った画像情報のページをフレームメモリ１５２に展開する。ステップＳ１４９に進み、コントローラ１は出力部数番号Ｍが画像化された全面画像のページをフレームメモリ１５２に展開する。
【００７８】
ステップＳ１５０に進み、コントローラ１はフレームメモリ１５２に展開されている画像情報のページと出力部数番号Ｍが画像化された全面画像のページとを画像合成回路１５３に転送する。画像合成回路１５３は、画像情報のページと出力部数番号Ｍが画像化された全面画像のページとを合成する。ステップＳ１５１に進み、コントローラ１は欄１００２でメモリ情報に基づく内容のページが出力対象のページとして指定されていると、メモリ情報に基づく内容のページをフレームメモリ１５２に展開する。
【００７９】
ステップＳ１５２に進み、コントローラ１はステップＳ１５０で合成されたページとフレームメモリ１５２に展開されているメモリ情報に基づく内容のページとをプロッタ３に転送する。プロッタ３は、ステップＳ１５０で合成されたページとメモリ情報に基づく内容のページとを印刷又は転送する出力処理を行う。
【００８０】
ステップＳ１５３に進み、コントローラ１はｉに１を加算し、部数番号Ｎから１を減算し、出力部数番号Ｍに１を加算する。ステップＳ１５４に進み、コントローラ１はメモリ情報の出力部数番号Ｍを更新する。ステップＳ１５５に進み、コントローラ１は部数番号Ｎが０になったか否かを判定する。部数番号Ｎが０になっていなければ（Ｓ１５５においてＮＯ）、コントローラ１はステップＳ１４９に戻り、ステップＳ１４９〜Ｓ１５５の処理を繰り返す。即ち、部数を出力する毎に出力部数番号Ｍが１ずつ増加し、部数毎に一意の出力部数番号が合成されて出力される。一方、部数番号Ｎが０になっていれば（Ｓ１５５においてＹＥＳ）、コントローラ１はステップＳ１５６に進み、原稿１００を排出して処理を終了する。
【００８１】
図１３は、原稿１００から読み取った画像情報のページ、ＲＦＩＤタグ１１０から読み取ったメモリ情報に基づく内容のページと、ナンバリングモード時の出力結果との関係を表した一例のイメージ図である。
【００８２】
図１３（ａ）は、原稿１００の表面に印刷された画像のページ１３０１と、ＲＦＩＤタグ１１０から読み取ったメモリ情報に基づく内容のページ１３０２，１３０３とを表している。図１３（ｂ）は、ページ１３０１〜１３０３が出力対象のページとして指定された場合の出力結果１３０４〜１３１２を表している。
【００８３】
例えば出力結果１３０４、１３０７及び１３１０は、出力部数番号０００１、０００２及び０００Ｎが画像化された全面画像のページと、原稿１３０１から読み取った画像情報のページとが合成されたものである。
【００８４】
出力モード「ナンバリングモード」が選択されなければ（Ｓ１４４においてＮＯ）、コントローラ１はステップＳ１５７に進み、出力モード選択画面１０００の欄１００１から出力モード「合成モード」が選択されたか否かを判定する。
【００８５】
出力モード「合成モード」が選択されれば（Ｓ１５７においてＹＥＳ）、コントローラ１はステップＳ１５８に進み、スタートキーが再度押下されたか否かを判定する。スタートキーが再度押下されなければ（Ｓ１５８においてＮＯ）、コントローラ１はステップＳ１５８の処理を繰り返す。スタートキーが再度押下されれば（Ｓ１５８においてＹＥＳ）、コントローラ１はステップＳ１５９に進み、原稿１００を排出する。
【００８６】
ステップＳ１６０に進み、コントローラ１は欄１００２で原稿１００から読み取った画像情報のページが出力対象のページとして指定されていると、原稿１００から読み取った画像情報のページをフレームメモリ１５２に展開する。ステップＳ１６１に進み、コントローラ１は欄１００２でメモリ情報に基づく内容のページが出力対象のページとして指定されていると、メモリ情報に基づく内容のページをフレームメモリ１５２に展開する。
【００８７】
ステップＳ１６２に進み、コントローラ１はフレームメモリ１５２に展開されている画像情報のページとメモリ情報に基づく内容のページとを画像合成回路１５３に転送して合成する。ステップＳ１６３に進み、コントローラ１は画像情報のページとメモリ情報に基づく内容のページとを合成したページをプロッタ３に転送する。プロッタ３は、ステップＳ１６２で合成されたページを印刷又は転送する出力処理を行う。
【００８８】
図１４は、原稿１００から読み取った画像情報のページ、ＲＦＩＤタグ１１０から読み取ったメモリ情報に基づく内容のページと、合成モード時の出力結果との関係を表した一例のイメージ図である。
【００８９】
図１４（ａ）は、原稿１００の表面に印刷された画像のページ１４０１と、ＲＦＩＤタグ１１０から読み取ったメモリ情報に基づく内容のページ１４０２，１４０３とを表している。図１４（ｂ）は、ページ１４０１〜１４０３が出力対象のページとして指定された場合の出力結果１４０４，１４０５を表している。
【００９０】
例えば出力結果１４０４，１４０５は、原稿１４０１から読み取った画像情報のページとＲＦＩＤタグ１１０から読み取ったメモリ情報に基づく内容のページ１４０２，１４０３とが合成されたものである。
【００９１】
出力モード「合成モード」が選択されなければ（Ｓ１５７においてＮＯ）、コントローラ１はステップＳ１６４に進み、ＲＦＩＤタグ１１０から読み取ったメモリ情報に基づく内容のページがＵＲＬで表されているＵＲＬモードであるか否かを判定する。ＵＲＬモードでなければ（Ｓ１６４においてＮＯ）、コントローラ１はステップＳ１３８に戻る。
【００９２】
ＵＲＬモードであれば（Ｓ１６４においてＹＥＳ）、コントローラ１はステップＳ１６５に進み、出力モード選択画面１０００の欄１００１から出力モード「背景モード」が選択されたか否かを判定する。出力モード「背景モード」が選択されなければ（Ｓ１６５においてＮＯ）、コントローラ１はステップＳ１３８に戻る。
【００９３】
出力モード「背景モード」が選択されれば（Ｓ１６５においてＹＥＳ）、コントローラ１はステップＳ１６６に進み、原稿１００を排出する。そして、コンロローラ１はステップＳ１６７に進み、背景選択処理を行う。背景選択処理では、コントローラ１が、図１５の背景選択画面１５００を操作部６に表示させる。図１５は、背景選択画面の一例のイメージ図である。
【００９４】
背景選択画面１５００は、背景を選択する欄１５０１と、背景のプレビューが表示される欄１５０２とを含むように構成される。ユーザは、背景選択画面１５００の欄１５０２で背景のプレビューを確認し、欄１５０１から背景を選択できる。
【００９５】
ステップＳ１６８に進み、コントローラ１はスタートキーが再度押下されたか否かを判定する。スタートキーが再度押下されなければ（Ｓ１６８においてＮＯ）、コントローラ１はステップＳ１６８の処理を繰り返す。スタートキーが再度押下されれば（Ｓ１６８においてＹＥＳ）、コントローラ１はステップＳ１６９に進み、ユーザにより選択された背景のページをフレームメモリ１５２に展開する。
【００９６】
ステップＳ１７０に進み、コントローラ１は欄１００２で原稿１００から読み取った画像情報のページが出力対象のページとして指定されていると、原稿１００から読み取った画像情報のページをフレームメモリ１５２に展開する。ステップＳ１７１に進み、コントローラ１は欄１００２でメモリ情報に基づく内容のページが出力対象のページとして指定されていると、メモリ情報に基づく内容のページをフレームメモリ１５２に展開する。
【００９７】
ステップＳ１７２に進み、コントローラ１はフレームメモリ１５２に展開されている背景のページ、画像情報のページ及びメモリ情報に基づく内容のページを画像合成回路１５３に転送して合成する。ステップＳ１７３に進み、コントローラ１はステップＳ１７２で合成されたページをプロッタ３に転送する。プロッタ３は、ステップＳ１７２で合成されたページを印刷又は転送する出力処理を行う。
【００９８】
図１６は、原稿１００から読み取った画像情報のページ、ＲＦＩＤタグ１１０から読み取ったメモリ情報に基づく内容のページ、背景のページと、背景モード時の出力結果との関係を表した一例のイメージ図である。
【００９９】
図１６（ａ）は、選択された背景のページ１６０１と、原稿１００の表面に印刷された画像のページ１６０２と、ＲＦＩＤタグ１１０から読み取ったメモリ情報に基づく内容のページ１６０３，１６０４とを表している。図１６（ｂ）は、ページ１６０２〜１６０３が出力対象のページとして指定された場合の出力結果１６０５〜１６０７を表している。
【０１００】
例えば出力結果１６０５〜１６０７は、選択された背景のページ１６０１と、原稿１４０１から読み取った画像情報のページ１６０２，ＲＦＩＤタグ１１０から読み取ったメモリ情報に基づく内容のページ１６０３，１６０４とが合成されたものである。
（効果）
郵送されるハガキや封筒の中には、個人情報や機密情報が含まれることがあり、他人に盗まれても中を見られないような仕組みが必要である。そこで、紙上には個人情報等を記載せずに紙に内蔵されたＲＦＩＤタグに情報を書き込み、認証と照合しない限り中を見られない機密性を高めた仕組みを提供できる。
【０１０１】
また、重要書類ではなくても、概略を記述した紙にＲＦＩＤタグを内蔵して配布し、配布された人のうち必要な人だけがＲＦＩＤタグから詳細情報を得るようにすることで、無駄な紙の消費を低減できる。
【０１０２】
また、ＲＦＩＤタグを付けた原稿から情報を得る際に、上述したような出力モード（表示モード、ナンバリングモード、合成モード、背景モードなど）を選択させることで、ＲＦＩＤタグを付けた原稿からユーザ固有の文書の出力、出力部数番号が印刷された文書の出力が可能となる。
【０１０３】
さらに、ＲＦＩＤタグを付けた原稿から情報を得る際に、地紋などの制御コードを認識すると、ＲＦＩＤタグからメモリ情報を読み出して制御コードの照合を行い、制御コードの照合がとれた場合にだけ出力を継続する。即ち、制御コードの照合がとれなかった場合の出力を禁止している。
【０１０４】
通常、地紋付きの原稿の場合、画像処理装置は地紋を検出すると出力を停止する。地紋検出機能を持たない画像処理装置であっても、出力禁止等の文字が浮き出るようになっている。本願発明の画像処理装置では、ＲＦＩＤタグを付けたオリジナルの原稿のみ複製を許可するといったような管理が可能となる。更にＲＦＩＤタグを付けたオリジナルの原稿のみ、特別な情報を追記して出力することが可能となる。
【図面の簡単な説明】
【０１０５】
【図１】本発明による画像処理装置の一実施例のハードウェア構成図である。
【図２】本発明による画像処理装置の一実施例のソフトウェア構成図である。
【図３】スキャナ、ＲＦＩＤリーダ／ライタ及び原稿の関係を表した図である。
【図４】原稿給紙装置にセットされた原稿から画像情報およびメモリ情報を読み取る画像処理装置の一例の模式図である。
【図５】原稿給紙装置にセットされた原稿から画像情報およびメモリ情報を読み取って出力する処理の一例のシーケンス図である。
【図６】ＲＦＩＤリーダ／ライタの装着位置を表した模式図である。
【図７】原稿から読み取った画像情報，ＲＦＩＤタグから読み取ったメモリ情報に基づく内容を、選択された出力モードに応じて合成して出力する画像処理装置の一実施例の模式図である。
【図８】出力モード選択画面の一例のイメージ図である。
【図９】原稿から読み取った画像情報，ＲＦＩＤタグから読み取ったメモリ情報に基づく内容を、選択された出力モードに応じて合成して出力する処理の一例のフローチャート（１／２）である。
【図１０】原稿から読み取った画像情報，ＲＦＩＤタグから読み取ったメモリ情報に基づく内容を、選択された出力モードに応じて合成して出力する処理の一例のフローチャート（２／２）である。
【図１１】出力不可を表す画面のイメージ図である。
【図１２】原稿１００から読み取った画像情報のページ、ＲＦＩＤタグ１１０から読み取ったメモリ情報に基づく内容のページと、表紙モード時の出力結果との関係を表した一例のイメージ図である。
【図１３】原稿１００から読み取った画像情報のページ、ＲＦＩＤタグ１１０から読み取ったメモリ情報に基づく内容のページと、ナンバリングモード時の出力結果との関係を表した一例のイメージ図である。
【図１４】原稿１００から読み取った画像情報のページ、ＲＦＩＤタグ１１０から読み取ったメモリ情報に基づく内容のページと、合成モード時の出力結果との関係を表した一例のイメージ図である。
【図１５】背景選択画面の一例のイメージ図である。
【図１６】原稿１００から読み取った画像情報のページ、ＲＦＩＤタグ１１０から読み取ったメモリ情報に基づく内容のページ、背景のページと、背景モード時の出力結果との関係を表した一例のイメージ図である。
【符号の説明】
【０１０６】
１    コントローラ
２    スキャナ
３    プロッタ
４    原稿給紙装置
５    後処理装置
６    操作部
７    個人認証装置
４４    ＲＦＩＤリーダ／ライタ
１００    原稿
１１０    ＲＦＩＤタグ
１３０    キャリッジ
【図１】
2006005544.tif 000003
【図２】
2006005544.tif 000004
【図３】
2006005544.tif 000005
【図４】
2006005544.tif 000006
【図５】
2006005544.tif 000007
【図６】
2006005544.tif 000008
【図７】
2006005544.tif 000009
【図８】
2006005544.tif 000010
【図９】
2006005544.tif 000011
【図１０】
2006005544.tif 000012
【図１１】
2006005544.tif 000013
【図１２】
2006005544.tif 000014
【図１３】
2006005544.tif 000015
【図１４】
2006005544.tif 000016
【図１５】
2006005544.tif 000017
【図１６】
2006005544.tif 000018